(57)【要約】【課題】本発明は、セキュリティを保ちつつ、即座に機能を実行させることができる表示装置を提供することを目的とする。【解決手段】制御部は、ロックモードの動作中に、押圧操作検出部が押圧操作を検出した場合、ロックモードで動作したまま所定の機能のうち特定の機能の制限を解除し、該特定の機能を実行する。所定の機能は、秘密にされるべき情報を用いるものを含み、ロックモードでは実行されない。すなわちロックモードではセキュリティは保たれている。特定の機能は、秘密にされるべき情報を用いず、かつ即時に実行されることが望ましいものである。特定の機能は、ロックモードの動作中に押圧操作が検出されると、制御部がロックモードで動作したままであっても制限が解除されて、実行される。従って、ユーザは、セキュリティが保たれている状態であるロックモードのまま、特定の機能を、押圧操作を行うだけで即座に表示装置に実行させることができる。【選択図】  図８
2015095696.tif 000002
【特許請求の範囲】
【請求項１】
筐体と、
表示部と、
所定の機能が制限されている状態であるロックモードと、該所定の機能の制限を解除した状態であるロック解除モードと、のいずれかの動作モードで動作し、前記表示部に前記ロックモードの解除用画面を表示させて、ロック解除操作を受け付ける制御部と、
を備えた表示装置であって、
前記筐体に対する押圧操作を検出する押圧操作検出部、をさらに備え、
前記制御部は、前記ロックモードの動作中に、前記押圧操作検出部が押圧操作を検出した場合、前記ロックモードで動作したまま前記所定の機能のうち特定の機能の制限を解除し、該特定の機能を実行する、
表示装置。
【請求項２】
前記制御部は、前記ロックモードの動作中に、前記押圧操作検出部が所定時間継続して押圧操作を検出した場合、前記特定の機能の制限を解除し、該特定の機能を実行する、
請求項１に記載の表示装置。
【請求項３】
前記制御部は、前記ロックモードの動作中に、前記押圧操作検出部が複数回の押圧操作を検出した場合、前記特定の機能の制限を解除し、該特定の機能を実行する、
請求項１に記載の表示装置。
【請求項４】
前記制御部は、前記ロックモードの動作中に、前記押圧操作検出部が所定パターンの押圧操作を検出した場合、前記特定の機能の制限を解除し、該特定の機能を実行する、
請求項１乃至請求項３のいずれかに記載の表示装置。
【請求項５】
前記制御部は、前記ロックモードの動作中に、前記押圧操作検出部が押圧操作を検出した場合、前記表示部に何も表示させずに、前記特定の機能の制限を解除し、該特定の機能を実行する、
請求項１乃至請求項４のいずれかに記載の表示装置。
【請求項６】
前記押圧操作検出部は、キラル高分子によって形成された圧電フィルムを有する、
請求項１乃至５のいずれかに記載の表示装置。
【請求項７】
前記キラル高分子は、Ｌ型ポリ乳酸である、
請求項６に記載の表示装置。
【発明の詳細な説明】
【技術分野】
【０００１】
本発明は、表示部と、受け付けた操作に応じて表示部の表示内容を変更する制御部と、を備える表示装置に関するものである。
【背景技術】
【０００２】
従来、表示部と、受け付けた操作に応じて表示部の表示内容を変更する制御部と、を備えた表示装置が知られている。ユーザは、操作入力を行うことにより、表示部の表示内容を変更させる。
【０００３】
例えば、特許文献１に示す携帯端末は、表示部と、制御部と、タッチ操作を受け付けるためのタッチセンサとを備えている。特許文献１に示す携帯端末は、タッチ操作をタッチセンサで受け付けると、アンロックパターンの入力画面（ロック解除画面）を表示する。そして、特許文献１に示す携帯端末は、アンロックパターンの入力画面が表示されている最中にアンロックパターンの操作（ロック解除操作）が行われると、複数のアイコンを表示部に表示する。そして、ユーザは、タッチしたままアイコンに向けて指を移動させる操作を行うことにより、該アイコンに対応付けられたアプリケーションを実行させる。
【０００４】
このように、特許文献１に示す携帯端末は、アンロックパターンの設定がされている状態であるロック状態の場合、ロック解除操作がされない限りアプリケーションを実行することがなく、セキュリティが保たれている。これにより、個人情報など秘密にすべき情報を用いたアプリケーションは、特定のユーザのみにしか実行されない。
【０００５】
一方、ユーザは、アンロックパターンの設定がされていないロック解除状態の携帯端末に対しては、ロック解除操作を割愛できるため、即座にアプリケーションを実行させることができる。
【先行技術文献】
【特許文献】
【０００６】
【特許文献１】特開２０１３−２５３５７号公報
【発明の概要】
【発明が解決しようとする課題】
【０００７】
しかしながら、ユーザは、ロック状態の携帯端末に対しては、ロック解除画面を表示させ、かつロック解除操作を行わなければならないため、即座にアプリケーション（機能）を実行させることができない。
【０００８】
また、ロック解除状態の携帯端末は、ロック解除操作の入力なしに機能の実行が可能であるため、どんなユーザであっても機能を実行できてしまい、セキュリティが保たれていない。
【０００９】
そこで、本発明は、セキュリティを保ちつつ、即座に機能を実行させることができる表示装置を提供することを目的とする。
【課題を解決するための手段】
【００１０】
本発明の表示装置は、筐体と、表示部と、所定の機能が制限されている状態であるロックモードと、該所定の機能の制限を解除した状態であるロック解除モードと、のいずれかの動作モードで動作し、前記表示部に前記ロックモードの解除用画面を表示させて、ロック解除操作を受け付ける制御部と、を備える。
【００１１】
そして、本発明の表示装置は、前記筐体に対する押圧操作を検出する押圧操作検出部、をさらに備え、前記制御部は、前記ロックモードの動作中に、前記押圧操作検出部が押圧操作を検出した場合、前記ロックモードで動作したまま前記所定の機能のうち特定の機能の制限を解除し、該特定の機能を実行する。
【００１２】
制御部は、例えば、表示部に対する所定のタッチ操作（パスワード入力など）をロック解除操作としてタッチパネルで受付けてもよい。
【００１３】
所定の機能は、例えば個人情報など秘密にされるべき情報を用いるものを含む。特定の機能は、例えば秘密にされるべき情報を用いず、かつ即時に実行されることが望ましいものである。
【００１４】
所定の機能は、ロックモードでは、実行されない。すなわち、セキュリティは、ロックモードでは、秘密にされるべき情報を用いる所定の機能が実行されないことにより、保たれている。一方、所定の機能のうち特定の機能は、ロックモードの動作中に押圧検出部が筐体に対する押圧操作を検出すると、制御部がロックモードで動作したままであっても、制限が解除されて、実行される。
【００１５】
従って、ユーザは、セキュリティが保たれている状態であるロックモードのまま、特定の機能を、押圧操作を行うだけで即座に表示装置に実行させることができる。
【００１６】
なお、特定の機能の制限を解除して実行するトリガは、所定時間継続する押圧操作を受け付けたことでもよいし、複数回の押圧操作を受け付けたことでもよい。
【００１７】
また、特定の機能の制限を解除して実行するトリガは、押圧操作が継続する時間、押圧操作の回数、押圧操作がなされるタイミングなどを組み合わせたパターンに対応する押圧操作を受け付けたこととしてもよい。
【００１８】
また、特定の機能は、表示部に何も表示させずに、実行されてもよい。
【００１９】
また、前記押圧操作検出部は、キラル高分子によって形成された圧電フィルムを有してもよい。
【００２０】
キラル高分子は、主鎖が螺旋構造を有する。キラル高分子は、圧電フィルムが押圧されると電荷を発生する。キラル高分子の圧電特性は、分子の構造に起因するため、ＰＶＤＦ（ポリフッ化ビニリデン）等の強誘電体のポリマーに比べて、ポーリングを不要とする。
【００２１】
前記キラル高分子は、Ｌ型ポリ乳酸であってもよい。
【００２２】
ポリ乳酸（ＰＬＡ）は、キラル高分子の中でも圧電出力定数が高い。特に一軸方向に延伸されたＬ型ポリ乳酸（ＰＬＬＡ）は、ポリ乳酸の中でも圧電出力定数が高い。圧電出力定数が高い材料を用いることにより、押圧操作検出部は、感度よく押圧操作を受け付けることができる。また、ポリ乳酸は、ＰＶＤＦ等のように、焦電性が極小さい。したがって、ポリ乳酸によって形成された圧電フィルムは、指の温度が伝わってしまう押圧操作検出部の構成として好適である。
【発明の効果】
【００２３】
この発明によれば、表示装置は、セキュリティが保たれている状態であるロックモードの動作中に押圧操作が行われると、ロック解除操作の受付を必要とせず、ロックモードで動作したまま特定の機能を即座に実行することができる。
【図面の簡単な説明】
【００２４】
【図１】実施形態１に係る携帯端末１の外観斜視図である。
【図２】実施形態１に係る携帯端末１のＡ−Ａ断面図である。
【図３】静電センサ１２の平面図である。
【図４】実施形態１に係る携帯端末１の構成の一部を示すブロック図である。
【図５】制御部１４の動作を示すフローチャートである。
【図６】制御部１４の動作を示すフローチャートである。
【図７】制御部１４の動作を示すフローチャートである。
【図８】待機モードで動作する制御部１４が所定のアプリケーションプログラムを即座に実行する概念を説明するための図である。
【図９】制御部１４の変形例１に係る制御部１４Ａの動作を示すフローチャートである。
【図１０】制御部１４の変形例２に係る制御部１４Ｂの動作を示すフローチャートである。
【発明を実施するための形態】
【００２５】
本発明の実施形態１に係る携帯端末１について、図１乃至図４を用いて説明する。図１は、携帯端末１の外観斜視図である。図２は、携帯端末１のＡ−Ａ断面図である。図３は、静電センサ１２の平面図である。図４は、携帯端末１の構成の一部を示すブロック図である。
【００２６】
携帯端末１は、図１に示すように、略直方体形状の筐体３０を備える。筐体３０の表面は開口している。なお、以下では、図１に示すＸ方向を筐体３０の幅方向とし、Ｙ方向を高さ方向とし、Ｚ方向を厚み方向として説明する。また、本実施形態では、筐体３０の幅が、筐体３０の高さよりも短い場合を示している。しかしながら、筐体３０は、幅と高さが同じ長さであっても、幅が高さより長くてもよい。
【００２７】
表示入力部１０は、筐体３０の開口部分を介して外部に露出している。これにより、筐体３０のＺ側の面は操作面となる。
【００２８】
筐体３０の操作面のうち、表示入力部１０より下側（−Ｙ側）には、ボタン５０が配置されている。ただし、ボタン５０は、筐体３０の操作面に限らず、筐体３０の他の面に配置されていてもよい。ボタン５０は、押下又はタッチされるとＯＮ信号を出力する。
【００２９】
筐体３０は、図２に示すように、内部に表示入力部１０及び演算回路モジュール４０を配置する。演算回路モジュール４０と表示入力部１０とは、厚み方向に順に配置される。
【００３０】
表示入力部１０は、図２に示すように、表示部１１、静電センサ１２、圧電センサ２０及び絶縁フィルム１２４を備える。表示部１１、静電センサ１２、及び圧電センサ２０は、筐体３０の表面側から視て、それぞれ略同じ形状である。
【００３１】
表示部１１は、図２に示すように、液晶パネル１１１、表面偏光板１１２、背面偏光板１１３、及びバックライト１１４を備える。
【００３２】
バックライト１１４、背面偏光板１１３、液晶パネル１１１、圧電センサ２０、絶縁フィルム１２４、静電センサ１２、及び表面偏光板１１２は、厚み方向に順に配置される。ただし、圧電センサ２０と静電センサ１２とは逆の配置であっても構わない。
【００３３】
静電センサ１２は、図２及び図３に示すように、ベースフィルム１２１、複数の静電容量検出電極１２２、及び複数の静電容量検出電極１２３を備える。
【００３４】
ベースフィルム１２１は、透光性及び所定の誘電率を有する材質からなる。複数の静電容量検出電極１２２、及び複数の静電容量検出電極１２３は、それぞれ長尺状であり、透光性を有する導電性材料からなる。複数の静電容量検出電極１２２は、ベースフィルム１２１の第１主面（＋Ｚ側の面）に、所定の間隔で配列形成されている。複数の静電容量検出電極１２３は、ベースフィルム１２１の第２主面（−Ｚ側の面）に、所定の間隔で配列形成されている。複数の静電容量検出電極１２２の配列方向と、複数の静電容量検出電極１２３の配列方向とは、ベースフィルム１２１の第１主面又は第２主面の法線方向から視ると、略直交するように設定される。
【００３５】
静電センサ１２に指が近づくと、静電容量は変化する。そこで、位置検出部１３は、静電容量が変化した静電容量検出電極１２２と静電容量検出電極１２３との組を特定することにより、タッチ位置を検出する。ただし、静電容量の変化は、指が表面偏光板１１２に実際に接触していなくても、検出可能である。また、タッチ位置の検出は、静電センサ１２の代わりに、指の表面偏光板１１２への接近を検出する光センサを用いても可能である。
【００３６】
位置検出部１３は、タッチ位置を検出すると、該タッチ位置の情報を制御部１４に出力する。
【００３７】
圧電センサ２０は、図２に示すように、圧電フィルム２０１、圧電検出電極２０２、及び圧電検出電極２０３を備える。
【００３８】
圧電フィルム２０１、圧電検出電極２０２、及び圧電検出電極２０３は、それぞれ平膜形状である。
【００３９】
圧電検出電極２０２は、圧電フィルム２０１の第１主面（＋Ｚ側の面）に、形成されている。圧電検出電極２０３は、圧電フィルム２０１の第２主面（−Ｚ側の面）に、形成されている。圧電検出電極２０２及び圧電検出電極２０３は、それぞれＩＴＯ、ＺｎＯ、ポリチオフェンを主成分とする有機電極、ポリアニリンを主成分とする有機電極、銀ナノワイヤ電極、カーボンナノチューブ電極のいずれかで形成されているため、透光性を有する。
【００４０】
圧電フィルム２０１は、例えば一軸延伸されたポリ乳酸からなり、透光性を有する。また、圧電フィルム２０１は、−Ｚ方向に押圧されると、第１主面及び第２主面に電荷を発生させる。圧電検出電極２０２と圧電検出電極２０３との間の電位差は、圧電フィルム２０１の第１主面及び第２主面に電荷が発生することにより、生じる。また、この電位差のレベル（例えばｍＶ）は、圧電フィルム２０１の押圧量（又は押込量。例えば数十μｍ）に対応する。したがって、圧電検出電極２０２と圧電検出電極２０３との間の電位差のレベル（ｍＶ）を求めることにより、圧電センサ２０に対する押圧操作の有無及び押圧量（μｍ）を求めることが可能となる。
【００４１】
圧電フィルム２０１は、キラル高分子から形成されるフィルムである。キラル高分子として、本実施形態では、ポリ乳酸（ＰＬＡ）、特にＬ型ポリ乳酸（ＰＬＬＡ）を用いている。ＰＬＬＡは、一軸延伸されている。
【００４２】
ＰＬＬＡは、圧電定数が高分子の中で非常に高い部類に属するため、圧電センサ２０に適している。
【００４３】
また、ＰＬＬＡには、他の強誘電性の圧電体（ＰＶＤＦ等）と異なり、焦電性がない。したがって、ＰＬＬＡは、表示入力部１０の圧電センサ２０のように、タッチ操作により指の温度が伝わってしまう構成に適している。
【００４４】
また、ＰＬＬＡは、キラル高分子からなるため、ＰＶＤＦ等より高い透光性を有する。したがって、ＰＬＬＡは、表示入力部１０の圧電センサ２０のように、バックライト１１４より＋Ｚ側に配置される構成に適している。
【００４５】
ただし、本実施形態において圧電フィルム２０１としてＰＬＬＡを用いることは必須ではない。圧電センサ２０は、例えばＰＶＤＦからなる圧電フィルム２０１を用いてもよい。
【００４６】
圧電センサ２０は、圧電検出電極２０２と圧電検出電極２０３との間の電位差をセンサ信号として出力する。圧電センサ２０から出力されたセンサ信号は、図４に示すように、圧電センサ結果検出部２１に入力される。圧電センサ結果検出部２１は、入力されたセンサ信号のレベルＬＳＳ（ｍＶ）を求める。圧電センサ結果検出部２１は、求めたレベルＬＳＳに応じて圧電センサ２０に対する押圧操作の有無を判断する。例えば、圧電センサ結果検出部２１は、レベルＬＳＳが２０ｍＶ未満であれば、表示入力部１０の圧電センサ２０に対して押圧操作がされていないと判断する。圧電センサ結果検出部２１は、レベルＬＳＳが２０ｍＶ以上であれば、表示入力部１０の圧電センサ２０に対して押圧操作がされていると判断する。圧電センサ結果検出部２１が閾値により押圧操作の有無を判断するため、表示入力部１０に対するタッチ操作と押圧操作とを区別しやすくなる。圧電センサ結果検出部２１は、押圧操作の有無の情報を制御部１４に出力する。ただし、操作面に対する−Ｚ方向の押圧操作を検出することは本発明において必須ではない。例えば圧電センサ２０は、筐体３０の側面にかかる押圧操作を検出するように筐体３０の内部に配置されていてもよい。
【００４７】
表示部１１の説明に戻り、バックライト１１４から出力された光は、背面偏光板１１３、液晶パネル１１１、圧電センサ２０、絶縁フィルム１２４、静電センサ１２、及び表面偏光板１１２を順に通過する。液晶パネル１１１は、表示制御部１５の制御により、届いた光をそのまま、又は、振動方向を変えて（偏光させて）透過させる。このように、表示部１１の表示内容は、バックライト１１４及び液晶パネル１１１を制御することにより、変更される。
【００４８】
圧電センサ２０は、透光性を有するため、バックライト１１４より＋Ｚ側に配置されても、バックライト１１４からの光の透過を阻害しない。ただし、表示部１１が本発明において必須の構成ではないため、圧電センサ２０が透光性を有することは必須ではない。
【００４９】
以上のように、制御部１４は、表示入力部１０に対するタッチ位置の情報、及び押圧操作の有無の情報が入力される。また、制御部１４は、ボタン５０からＯＮ信号が入力される。制御部１４は、これら入力された情報に基づいて様々な処理を行う。例えば、表示制御部１５は、制御部１４から出力された表示に関する処理の情報に基づいて、表示部１１の表示内容を変更する。すなわち、携帯端末１は、所謂、ＧＵＩ（；Ｇｒａｐｈｉｃａｌ  Ｕｓｅｒ  Ｉｎｔｅｒｆａｃｅ）を実現する。
【００５０】
このような携帯端末１によって、ユーザは、ロックモードのセキュリティレベルを確保しつつ、特定のアプリケーションプログラム（以下、ＡＰＰと称す。）を即座に実行させることができるようになる。
【００５１】
ロックモードとは、制御部１４の動作モードの１つである。携帯端末１は、例えば、ロックモード、及びロック解除モードを有する。制御部１４は、ロック解除モードでは、携帯端末１に記憶されるＡＰＰの全てのＡＰＰを実行可能とした状態で動作する。すなわち、携帯端末１に記憶される全てのＡＰＰは、ロック解除モードでは、実行が制限されていない。制御部１４は、ロックモードでは、携帯端末１に記憶されるＡＰＰのうち、１又は２以上のＡＰＰの実行を制限した状態で動作する。以下、ロックモードで実行が制限されるＡＰＰをＬＡＰＰと称す。ＬＡＰＰは、個人情報など秘密にされるべき情報を用いるＡＰＰ（例えば電話帳ＡＰＰ及びメールＡＰＰ）を含む。
【００５２】
制御部１４の動作について、図５、図６、図７、及び図８を用いて説明する。図５は、ロックモードにおける制御部１４の動作を示すフローチャートである。図６は、即時実行処理における制御部１４の動作を示すフローチャートである。図７は、ロック解除モードにおける制御部１４の動作を示すフローチャートである。図８は、ロックモードで動作する制御部１４が特定のＡＰＰを即座に実行する例を示す図である。
【００５３】
図５に示すフローチャートは、ロックモードで動作する制御部１４が圧電センサ結果検出部２１から押圧操作がある旨の情報を取得したこと、又は、ボタン５０からＯＮ信号を取得したことによって、始まる。
【００５４】
なお、制御部１４は、ロックモードでは、操作入力がないと、表示入力部１０の表示がＯＦＦとなるように表示制御部１５を制御している。
【００５５】
まず、制御部１４は、ユーザが行った操作の入力の種類を判定する（Ｓ１）。具体的には、制御部１４は、圧電センサ結果検出部２１から情報が入力されたのか、又はボタン５０からＯＮ信号が入力されたのかを判断して、ユーザが行った操作の入力の種類を判定する。制御部１４は、圧電センサ結果検出部２１から押圧操作がある旨の情報が入力された場合、表示入力部１０に対して押圧操作があったと判定して（Ｓ１：押圧操作）、ステップＳ１０に進む。制御部１４は、ボタン５０からＯＮ信号が入力された場合、ボタン５０が押下される操作があったと判定して（Ｓ１：ボタン押下）、ステップＳ２に進む。
【００５６】
制御部１４は、表示入力部１０に対して押圧操作があったと判定した場合（Ｓ１：押圧操作）、即時実行処理を行う（Ｓ１０）。
【００５７】
即時実行処理について図６を用いて説明する。
【００５８】
制御部１４は、即時実行処理として、ロックモードで実行が制限されていたＬＡＰＰのうちの１つのＬＡＰＰの実行制限を解除する（Ｓ１１）。以下、実行制限が解除されたＬＡＰＰをＩＡＰＰと称す。ＩＡＰＰは、個人情報など秘密にされるべき情報を用いず、かつ即時に実行させることが望ましいＬＡＰＰである。ＩＡＰＰは、例えば不図示のカメラセンサを用いて写真を撮影する写真撮影ＡＰＰ、不図示のマイクを用いて音声を録音するボイスレコードＡＰＰ、又は不図示のスピーカを用いて警報音を鳴らす警報音発報ＡＰＰである。なお、ユーザは、携帯端末１のＧＵＩを介して、いずれのＬＡＰＰをＩＡＰＰとするかについて設定してもよい。
【００５９】
そして、制御部１４は、ＩＡＰＰを実行する（Ｓ１２）。制御部１４は、実行するＩＡＰＰが表示機能を必要とする場合、表示制御部１５に表示内容に関する情報を出力する。
【００６０】
そして、制御部１４は、ＩＡＰＰの実行が終了したか否かを判断する（Ｓ１３）。制御部１４は、ＩＡＰＰの実行が終了した場合（Ｓ１３：ＹＥＳ）、ステップＳ１４に進む。制御部１４は、ＩＡＰＰの実行が終了していない場合（Ｓ１３：ＮＯ）、当該ＩＡＰＰの実行が終了するまで待機する。
【００６１】
なお、制御部１４は、ユーザから実行終了を示す操作入力をトリガとして、実行しているＩＡＰＰを終了してもよいし、実行されているＩＡＰＰ自身から終了通知を受け取ることにより、当該ＩＡＰＰを終了してもよい。さらには、制御部１４は、所定時間（例えば１分間）、ユーザからの操作を表示入力部１０又はボタン５０で受け付けない場合、実行しているＩＡＰＰを終了してもよい。
【００６２】
制御部１４は、ＩＡＰＰの実行が終了した場合（Ｓ１３：ＹＥＳ）、当該ＩＡＰＰの実行を制限する（Ｓ１４）。即時実行処理は、ステップＳ１４に示す処理で終わるが、制御部１４は、引き続きロックモードで動作する。
【００６３】
図５に示すフローチャートの説明に戻り、制御部１４は、ユーザが行った操作がボタン５０の押下であると判定すると（Ｓ１：ボタン押下）、ロック解除画面を表示する（Ｓ２）。ロック解除画面は、例えば、数字列からなるパスワード入力の操作指示を表示する。
【００６４】
そして、制御部１４は、表示入力部１０に対してユーザがロック解除操作の入力を行ったか否かを判断する（Ｓ３）。ロック解除操作は、例えばユーザが所定のパスワードを入力することにより行われる。制御部１４は、ロック解除操作が入力されたと判断した場合（Ｓ３：ＹＥＳ）、ロック解除モードに遷移する。制御部１４は、ロック解除操作が入力されたと判断しなかった場合（Ｓ３：ＮＯ）、ロック解除操作を受け付けるまで待機する。
【００６５】
ロック解除モードにおける制御部１４の動作について、図７を用いて説明する。
【００６６】
まず、制御部１４は、ロック解除モードでは、ホーム画面を表示する処理の情報を表示制御部１５に出力する（Ｓ２１）。ホーム画面では、例えば複数のアイコンが表示される。携帯端末１は、これらアイコンの表示位置がタッチされると、タッチされたアイコンに対応付けられたＡＰＰを実行する。
【００６７】
制御部１４は、所定時間（例えば１分間）、ユーザからの操作を受け付けない場合（Ｓ２２：ＹＥＳ）、ロックモードに遷移する。ただし、制御部１４は、表示入力部１０又はボタン５０でロックモードに遷移させることを示す操作を受付けることにより、ロックモードに遷移してもよい。制御部１４は、所定時間内にユーザからの操作を受付けた場合（Ｓ２２：ＮＯ）、所定時間継続して操作を受け付けなくなるまで待機する。
【００６８】
以上のように、制御部１４は、ロックモードの動作中に、表示入力部１０に対して、押圧操作がなされると、１つのＬＡＰＰの実行制限を解除して、当該ＬＡＰＰ（ＩＡＰＰ）を実行する。
【００６９】
ロックモードの動作中に押圧操作を受付けてＩＡＰＰを実行する例について、図８を用いて説明する。
【００７０】
制御部１４は、ロックモードで動作する携帯端末１の表示入力部１０に対して、ユーザが押圧操作を行うと、ＩＡＰＰとしてボイスレコードＡＰＰの実行制限を解除して、ボイスレコードＡＰＰを実行する。すると、表示入力部１０は、消灯状態から点灯し、ボイスレコードＡＰＰに対応したボイスレコード画面を表示する。ただし、ボイスレコード画面を表示することは、本実施形態において必須の構成ではない。例えば、携帯端末１は、表示入力部１０の表示を消灯にしたまま、マイクと録音の機能だけを動作させる。
【００７１】
上述のように、秘密にすべき情報を用いたＬＡＰＰは、制御部１４がロック解除モードに遷移しない限り、実行されることがない。制御部１４は、図８に示す例において、ロックモードからロック解除モードに遷移することなく、秘密にすべき情報を用いないボイスレコードＡＰＰを実行する。したがって、ユーザは、携帯端末１のセキュリティを確保しつつ、１回の押圧操作だけで即座にボイスレコードＡＰＰを実行させることができる。
【００７２】
また、押圧操作は、表示入力部１０を押し込むことにより行われるため、ユーザが誤って表示入力部１０をタッチしただけでは、携帯端末１に受付けられない。従って、携帯端末１は、ユーザの意図しないタッチ操作によって、ボイスレコードＡＰＰを実行することがない。さらに、押圧操作の検出感度は、押圧操作があるか否かを判断するために用いられるレベルＬＳＳの閾値（２０ｍＶ）を調整することにより、個人差及び使用環境に合わせて調整可能である。
【００７３】
なお、制御部１４は、ＩＡＰＰの実行が終了し、当該ＩＡＰＰの実行を制限（Ｓ１４）した後に、ステップＳ２に進み、ロック解除画面を表示してもよい。この場合、ユーザは、ＩＡＰＰの実行が終了した後、ロック解除操作を行うことにより、ホーム画面に表示されるアイコンに対応付けられた様々なＡＰＰを携帯端末１に続けて実行させることができる。
【００７４】
また、制御部１４は、ロックモードにおいて、ロック解除画面を表示しているとき（Ｓ２）、表示入力部１０に対する押圧操作を受け付けると、ステップＳ１０に示す即時実行処理を実行してもよい。
【００７５】
以上の例では、即時実行処理を開始するトリガは、１回の押圧操作の入力であったが、以下のようなものでもよい。
【００７６】
図９は、制御部１４の変形例１に係る制御部１４Ａの動作を示すフローチャートである。制御部１４Ａは、動作が異なる点において、制御部１４と相違する。従って、制御部１４と重複する構成及び動作の説明は省略する。
【００７７】
図９に示すフローチャートは、即時実行処理を開始するトリガ及びロック解除モードに遷移するトリガが異なる点において、図５に示すフローチャートと相違する。
【００７８】
制御部１４Ａは、表示入力部１０に対して押圧操作が行われたと判断した場合（Ｓ１：押圧操作）、ステップＳ４に進む。制御部１４Ａは、ステップＳ４に進むと、所定時間内に表示入力部１０に対して再び押圧操作が行われたか否かを判断する。より具体的には、制御部１４Ａは、押圧操作がある旨の情報を取得した時点から所定時間内（例えば１秒間）に、いったん押圧操作がない旨の情報を取得し、その後、再び押圧操作がある旨の情報を圧電センサ結果検出部２１から取得できたか否かを判断する（Ｓ４）。制御部１４Ａは、所定時間内に表示入力部１０に対して再び押圧操作が行われたと判断した場合（Ｓ４：ＹＥＳ）、即時実行処理を開始する（Ｓ１０）。制御部１４Ａは、所定時間内に表示入力部１０に対して再び押圧操作が行われなかったと判断した場合（Ｓ４：ＮＯ）、ロック解除画面を表示する（Ｓ２）。
【００７９】
このように、制御部１４Ａは、表示入力部１０に対して２回の押圧操作が連続して行われると、即時実行処理を実行する。従って、制御部１４Ａは、ユーザが意図せず表示入力部１０を１度押圧してしまっても、ＩＡＰＰを実行せず、ユーザの誤操作を防止する。
【００８０】
なお、即時実行処理を開始するトリガは、即座に操作入力が可能な範囲で３回以上の押圧操作が入力されることとしてもよい。
【００８１】
また、即時実行処理を開始するトリガは、所定回数の押圧操作が入力されることだけでなく、所定時間継続する押圧操作が入力されることであってもよい。例えば、制御部１４Ａは、圧電センサ結果検出部２１から押圧操作がある旨の情報を２秒間継続して取得できた場合、即時実行処理を開始する。
【００８２】
さらには、即時実行処理を開始するトリガは、押圧操作が継続する時間、押圧操作の回数、及び押圧操作が与えられたタイミングを組み合わせたパターンに適合した操作を受け付けることとしてもよい。
【００８３】
また、上述のパターンは、位置検出部１３が検出するタッチ位置も含めてもよい。例えば、制御部１４Ａは、２箇所のタッチ位置を検出し、かつ所定回数の押圧操作がある場合、即時実行処理を実行してもよい。
【００８４】
次に、図１０は、制御部１４の変形例２に係る制御部１４Ｂの動作を示すフローチャートである。制御部１４Ｂは、即時実行処理における動作が異なる点において、制御部１４と相違する。従って、制御部１４と重複する構成及び動作の説明は省略する。
【００８５】
図１０に示すフローチャートは、押圧された位置に応じて異なるＩＡＰＰを実行する点において、図６に示すフローチャートと相違する。具体的には、図１０に示すフローチャートは、ステップＳ１１及びステップＳ１２のそれぞれの処理を実行せず、ステップＳ１５乃至ステップＳ１９の処理を実行する点において、図６に示すフローチャートと相違する。
【００８６】
まず、制御部１４Ｂは、押圧された位置として、タッチ位置の情報を位置検出部１３から取得し、該タッチ位置が表示入力部１０の表示領域における所定領域内（例えば、上側半分の表示領域）に属するか否かを判断する（Ｓ１５）。制御部１４Ｂは、タッチ位置が表示入力部１０の所定領域内に属する場合（Ｓ１５：ＹＥＳ）、写真撮影ＡＰＰの実行制限を解除し（Ｓ１６）、写真撮影ＡＰＰを実行する（Ｓ１７）。
【００８７】
制御部１４Ｂは、タッチ位置が表示入力部１０の所定領域内に属しない場合（Ｓ１５：ＮＯ）、ボイスレコードＡＰＰの実行制限を解除し（Ｓ１８）、ボイスレコードＡＰＰを実行する（Ｓ１９）。
【００８８】
そして、制御部１４Ｂは、写真撮影ＡＰＰ又はボイスレコードＡＰＰの実行が終了したか否かを判断する（Ｓ１３）。
【００８９】
これにより、ユーザは、携帯端末１のセキュリティを確保しつつ、２つのＬＡＰＰから実行させたいＬＡＰＰを選択しながらも、即座に選択したＬＡＰＰ（ＩＡＰＰ）を携帯端末１に実行させることができる。
【００９０】
なお、制御部１４Ｂは、表示入力部１０の表示領域を所定領域内と所定領域外と２つの領域に分けてタッチ位置を検出するのではなく、即座に操作入力が可能な範囲で、表示入力部１０の表示領域を３つ以上の領域に分けて、タッチ位置が属する領域と押圧操作とに応じてＩＡＰＰを実行してもよい。
【符号の説明】
【００９１】
１…携帯端末
１０…表示入力部
１１…表示部
１２…静電センサ
１３…位置検出部
１４，１４Ａ，１４Ｂ…制御部
１５…表示制御部
２０…圧電センサ
２１…圧電センサ結果検出部
３０…筐体
４０…演算回路モジュール
５０…ボタン
１１１…液晶パネル
１１２…表面偏光板
１１３…背面偏光板
１１４…バックライト
１２１…ベースフィルム
１２２，１２３…静電容量検出電極
１２４…絶縁フィルム
２０１…圧電フィルム
２０２，２０３…圧電検出電極
【図１】
2015095696.tif 000003
【図２】
2015095696.tif 000004
【図３】
2015095696.tif 000005
【図４】
2015095696.tif 000006
【図５】
2015095696.tif 000007
【図６】
2015095696.tif 000008
【図７】
2015095696.tif 000009
【図８】
2015095696.tif 000010
【図９】
2015095696.tif 000011
【図１０】
2015095696.tif 000012